(57)【特許請求の範囲】
【請求項１】
目地を挟んで対向する構造物間の目地構造であって、
前記それぞれの構造物に取り付けられて前記目地の間隔方向で対向する固定支持部材と、
これら固定支持部材を挟む両側に跨って配置されるとともに、前記固定支持部材を挟んで間隔が保持された移動支持部材と、
前記固定支持部材と前記移動支持部材とのいずれか一方に取り付けられ、いずれか他方に圧着されてシールする止水部材とを備えることを特徴とする構造物の目地構造。
【請求項２】
前記移動支持部材の間隔を調整可能に構成したことを特徴とする請求項１記載の構造物の目地構造。
【請求項３】
前記移動支持部材を、長手方向に分割し、連結して構成したことを特徴とする請求項１または２記載の構造物の目地構造。
【請求項４】
前記固定支持部材および前記移動支持部材を、前記目地に隣接して形成した凹部に設けたことを特徴とする請求項１〜３のいずれかに記載の構造物の目地構造。
【請求項５】
前記固定支持部材と前記移動支持部材とのいずれか一方に、前記止水部材の抜けを防止する突起部を設けたことを特徴とする請求項１〜４のいずれかに記載の構造物の目地構造。
【請求項６】
前記前記固定支持部材および前記移動支持部材に、防錆処理を施したことを特徴とする請求項１〜５のいずれかに記載の構造物の目地構造。
【請求項７】
目地を挟んで対向する構造物間を止水する目地を施工するに際し、
前記それぞれの構造物に前記目地の間隔方向に対向する固定支持部材を取り付けた後、これら固定支持部材を挟む両側に跨って配置されるとともに、前記固定支持部材を挟んで間隔が保持された移動支持部材を挿入するようにし、
前記固定支持部材と前記移動支持部材とのいずれか一方には、いずれか他方に圧着されてシールする止水部材を予め取り付けて施工するようにしたことを特徴とする構造物の目地の施工方法。
【請求項８】
前記移動支持部材を挿入後その間隔を調整して前記止水部材の圧着力を調整するようにしたことを特徴とする請求項７記載の構造物の目地の施工方法。
【請求項９】
前記移動支持部材を、長手方向に分割し、挿入しながら連結して組み立てるようにしたことを特徴とする請求項７または８記載の構造物の目地の施工方法。
【請求項１０】
前記移動支持部材に前記止水部材を取り付ける一方、当該止水部材が破損した場合に移動支持部材を引き抜き、止水部材を交換後再挿入して施工するようにしたことを特徴とする請求項７〜９のいずれかに記載の構造物の目地の施工方法。
【発明の詳細な説明】
【技術分野】
【０００１】
この発明は、構造物の目地構造およびその施工方法に関し、ケーソンを並べて構築する護岸壁や管理型廃棄物最終処分場の護岸壁などの構造物の目地の止水性を高めることができるようにしたものである。
【背景技術】
【０００２】
護岸壁などの構造物の１つである管理型廃棄物最終処分場では、護岸壁を構築し、その内側に廃棄物を投入して埋め立てることが行われている。
【０００３】
従来、このような護岸壁は、通常、ケーソンを並べて構築されており、廃棄物や汚水などの流出を防止するため、ケーソン間の目地を遮水する必要があり、種々の目地構造が提案されている。
【０００４】
これまでの目地構造の一例は、図１０に示すように、ケーソン１、１の対向する目地２間に、中空の大円筒状目地材３ａと中空小円筒状の加圧流体用目地材３ｂとを組み合せた目地材３，３を間隔をあけて配置し、大円筒状目地材３ａ、３ａの内部に砂、アスファルト、モルタルなどの充填材４を注入充填して膨らませた後、加圧流体用目地材３ｂ、３ｂに水などの流体５を加圧注入して目地材３、３をケーソン１、１の対向する壁面に圧着させ、これら目地材３、３の間の目地２内にアスファルトマスチックなどの充填材を注入充填することにより不透水層６を形成することで遮水するようにしている（特許文献１など参照）。
【特許文献１】特開平０４−３８３２４号公報
【発明の開示】
【発明が解決しようとする課題】
【０００５】
ところが、このようなケーソン用の目地構造では、通常想定されている地震などが発生しても目地材３、３間に充填したアスファルトマスチックを充填した不透水層６がケーソン１、１間の目地２の開きなどに対応して遮水状態を維持することができるものの、大地震などの急激なケーソンの動きに対しては、アスファルトマスチックなどの充填材が一時的に追従できなくなるおそれがある。
【０００６】
この発明は、上記従来技術の問題点に鑑みてなされたもので、地震時などの急激な動きに対しても対応して遮水状態を維持することができる構造物の目地構造およびその施工方法を提供しようとするものである。
【課題を解決するための手段】
【０００７】
かかる従来技術の課題を解決するこの発明の請求項１記載の構造物の目地構造は、目地を挟んで対向する構造物間の目地構造であって、前記それぞれの構造物に取り付けられて前記目地の間隔方向で対向する固定支持部材と、これら固定支持部材を挟む両側に跨って配置されるとともに、前記固定支持部材を挟んで間隔が保持された移動支持部材と、前記固定支持部材と前記移動支持部材とのいずれか一方に取り付けられ、いずれか他方に圧着されてシールする止水部材とを備えることを特徴とするものである。
【０００８】
この構造物の目地構造によれば、目地を挟んで対向するそれぞれの構造物に目地の間隔方向で対向する固定支持部材を取り付け、これら固定支持部材を挟む両側に跨って配置されるとともに、固定支持部材を挟んで間隔が保持された移動支持部材を設け、これら固定支持部材と移動支持部材とのいずれか一方に止水部材を取り付けて、いずれか他方に圧着してシールするようにしており、地震時などの急激な固定支持部材の変位に対して移動支持部材を対応させて変位させることができ、これらの変位が生じても止水部材の圧着力を保持でき、遮水性を確保できるようにしている。
【０００９】
また、この発明の請求項２記載の構造物の目地構造は、請求項１記載の構成に加え、前記移動支持部材の間隔を調整可能に構成したことを特徴とするものである。
【００１０】
この構造物の目地構造によれば、前記移動支持部材の間隔を調整可能に構成しており、移動支持部材の間隔を調整することで止水部材の圧着力を変えることができ、遮水性能を調整できるとともに、圧着が生じないようにすることで簡単に施工できるようになる。
【００１１】
さらに、この発明の請求項３記載の構造物の目地構造は、請求項１または２記載の構成に加え、前記移動支持部材を、長手方向に分割し、連結して構成したことを特徴とするものである。
【００１２】
この構造物の目地構造によれば、前記移動支持部材を、長手方向に分割し、連結して構成するようにしており、運搬性や施工性を向上でき、現地で組立ながら施工できるようになる。
【００１３】
また、この発明の請求項４記載の構造物の目地構造は、請求項１〜３のいずれかに記載の構成に加え、前記固定支持部材および前記移動支持部材を、前記目地に隣接して形成した凹部に設けたことを特徴とするものである。
【００１４】
この構造物の目地構造によれば、前記固定支持部材および前記移動支持部材を、前記目地に隣接して形成した凹部に設けるようにしており、構造物の壁面から突き出す部分をなくし、これまでと同様の外観形状にすることができるようになる。
【００１５】
さらに、この発明の請求項５記載の構造物の目地構造は、請求項１〜４のいずれかに記載の構成に加え、前記固定支持部材と前記移動支持部材とのいずれか一方に、前記止水部材の抜けを防止する突起部を設けたことを特徴とするものである。
【００１６】
この構造物の目地構造によれば、前記固定支持部材と前記移動支持部材とのいずれか一方に、前記止水部材の抜けを防止する突起部を設けており、移動支持部材変形の片利きを防ぎ、止水部材が外れることを防止して、安定した変位追従性、止水性を確保できるようにしている。
【００１７】
また、この発明の請求項６記載の構造物の目地構造は、請求項１〜５のいずれかに記載の構成に加え、前記前記固定支持部材および前記移動支持部材に、防錆処理を施したことを特徴とするものである。
【００１８】
この構造物の目地構造によれば、前記前記固定支持部材および前記移動支持部材に、防錆処理を施すようにしており、腐食を防止して耐久性を大幅に向上できるようにしている。
【００１９】
さらに、この発明の請求項７記載の構造物の目地の施工方法は、目地を挟んで対向する構造物間を止水する目地を施工するに際し、前記それぞれの構造物に前記目地の間隔方向に対向する固定支持部材を取り付けた後、これら固定支持部材を挟む両側に跨って配置されるとともに、前記固定支持部材を挟んで間隔が保持された移動支持部材を挿入するようにし、前記固定支持部材と前記移動支持部材とのいずれか一方には、いずれか他方に圧着されてシールする止水部材を予め取り付けて施工するようにしたことを特徴とするものである。
【００２０】
この構造物の目地の施工方法によれば、目地を挟んで対向するそれぞれの構造物に目地の間隔方向に対向する固定支持部材を取り付けた後、これら固定支持部材を挟む両側に跨って配置されるとともに、固定支持部材を挟んで間隔が保持された移動支持部材を挿入するようにし、これら固定支持部材と移動支持部材とのいずれか一方に、いずれか他方に圧着されてシールする止水部材を予め取り付けて施工するようにしており、いずれかに止水部材を取り付けておき、固定支持部材に２枚の間隔をあけた移動支持部材を挿入することで簡単に施工することができるようになる。
【００２１】
また、この発明の請求項８記載の構造物の目地の施工方法は、請求項７記載の構成に加え、前記移動支持部材を挿入後その間隔を調整して前記止水部材の圧着力を調整するようにしたことを特徴とするものである。
【００２２】
この構造物の目地の施工方法によれば、前記移動支持部材を挿入後その間隔を調整して前記止水部材の圧着力を調整するようにしており、移動支持部材の間隔を調整することで止水部材の圧着力を変えることができ、遮水性能を調整できるとともに、圧着が生じないようにすることで簡単に施工できるようになる。
【００２３】
さらに、この発明の請求項９記載の構造物の目地の施工方法は、請求項７または８記載の構成に加え、前記移動支持部材を、長手方向に分割し、挿入しながら連結して組み立てるようにしたことを特徴とするものである。
【００２４】
この構造物の目地の施工方法によれば、前記移動支持部材を、長手方向に分割し、挿入しながら連結して組み立てるようにしており、運搬性や施工性を向上でき、現地で組立ながら施工できるようになる。
【００２５】
また、この発明の請求項１０記載の構造物の目地の施工方法は、請求項７〜９のいずれかに記載の構成に加え、前記移動支持部材に前記止水部材を取り付ける一方、当該止水部材が破損した場合に移動支持部材を引き抜き、止水部材を交換後再挿入して施工するようにしたことを特徴とするものである。
【００２６】
この構造物の目地の施工方法によれば、前記移動支持部材に前記止水部材を取り付ける一方、当該止水部材が破損した場合に移動支持部材を引き抜き、止水部材を交換後再挿入して施工するようにしており、止水部材に破損などが生じても移動支持部材ごと引き抜いて交換でき、再挿入することで簡単に再施工できるようにしている。
【発明の効果】
【００２７】
この発明の請求項１記載の構造物の目地構造によれば、目地を挟んで対向するそれぞれの構造物に目地の間隔方向で対向する固定支持部材を取り付け、これら固定支持部材を挟む両側に跨って配置されるとともに、固定支持部材を挟んで間隔が保持された移動支持部材を設け、これら固定支持部材と移動支持部材とのいずれか一方に止水部材を取り付けて、いずれか他方に圧着してシールするようにしたので、地震時などの急激な固定支持部材の変位に対して移動支持部材を対応させて変位させることができ、これらの変位が生じても止水部材の圧着力を保持することもでき、遮水性を確保することができる。
【００２８】
また、この発明の請求項２記載の構造物の目地構造によれば、前記移動支持部材の間隔を調整可能に構成したので、移動支持部材の間隔を調整することで止水部材の圧着力を変えることができ、遮水性能を調整することができるとともに、圧着が生じないようにすることで簡単に施工することもできる。
【００２９】
さらに、この発明の請求項３記載の構造物の目地構造によれば、前記移動支持部材を、長手方向に分割し、連結して構成するようにしたので、運搬性や施工性を向上することができ、現地で組立ながら施工することもできる。
【００３０】
また、この発明の請求項４記載の構造物の目地構造によれば、前記固定支持部材および前記移動支持部材を、前記目地に隣接して形成した凹部に設けるようにしたので、構造物の壁面から突き出す部分をなくすことができ、これまでと同様の外観形状にすることができる。
【００３１】
さらに、この発明の請求項５記載の構造物の目地構造によれば、前記固定支持部材と前記移動支持部材とのいずれか一方に、前記止水部材の抜けを防止する突起部を設けたので、止水部材が外れることを防止することができ、確実に大きな変位に追従させることができるとともに、遮水性を保持することができる。
【００３２】
また、この発明の請求項６記載の構造物の目地構造によれば、前記固定支持部材および前記移動支持部材に、防錆処理を施すようにしたので、海洋などに構築する場合でも、腐食を防止して耐久性を大幅に向上することができる。
【００３３】
さらに、この発明の請求項７記載の構造物の目地の施工方法によれば、目地を挟んで対向するそれぞれの構造物に目地の間隔方向に対向する固定支持部材を取り付けた後、これら固定支持部材を挟む両側に跨って配置されるとともに、固定支持部材を挟んで間隔が保持された移動支持部材を挿入するようにし、これら固定支持部材と移動支持部材とのいずれか一方に、いずれか他方に圧着されてシールする止水部材を予め取り付けて施工するようにしたので、いずれかに止水部材を取り付けておき、固定支持部材に２枚の間隔をあけた移動支持部材を挿入することで簡単に施工することができるとともに、急激な変位に対してもこれを吸収して遮水することができる。
【００３４】
また、この発明の請求項８記載の構造物の目地の施工方法によれば、前記移動支持部材を挿入後その間隔を調整して前記止水部材の圧着力を調整するようにしたので、移動支持部材の間隔を調整することで止水部材の圧着力を変えることができ、遮水性能を調整することができるとともに、圧着が生じないようにすることで簡単に施工することができる。
【００３５】
さらに、この発明の請求項９記載の構造物の目地の施工方法によれば、前記移動支持部材を、長手方向に分割し、挿入しながら連結して組み立てるようにしたので、運搬性や施工性を向上することができ、現地で組立ながら施工することもできる。
【００３６】
また、この発明の請求項１０記載の構造物の目地の施工方法によれば、前記移動支持部材に前記止水部材を取り付ける一方、当該止水部材が破損した場合に移動支持部材を引き抜き、止水部材を交換後再挿入して施工するようにしたので、止水部材に破損などが生じても移動支持部材ごと引き抜いて交換でき、再挿入することで簡単に再施工することができる。
【発明を実施するための最良の形態】
【００３７】
以下、この発明の実施の形態について図面を参照して詳細に説明する。  
図１および図２は、この発明の構造物の目地構造をケーソンに適用した一実施の形態にかかり、図１は部分拡大斜視図、図２は平面図および部分拡大平面図である。
【００３８】
この構造物の目地構造１０では、ケーソン１、１間の目地２を挟んで対向する端面１ａのそれぞれの両端部に段差状に切り欠いた凹部１１が形成され、対向する凹部１１，１１同士で矩形の空間が形成されるようにしてある。
【００３９】
そして、これら凹部１１、１１の中央部には、目地２の間隔方向（目地の幅方向）Ｘで対向する板状の固定支持部材１２、１２がそれぞれのケーソン１，１の端面１ａ、１ａに埋設されるなどで取り付けられており、ケーソン１，１の高さ方向全長にわたって配置されるとともに、先端面同士にほぼ目地２の間隔程度の隙間が形成されて対向するようになっている。
【００４０】
また、板状の固定支持部材相１２，１２の先端部両側には、止水部材の抜け出しを防止する突起部１３として丸棒が溶接などで取り付けてある。
【００４１】
このような固定支持部材１２，１２の両側には、２枚の板状材１４ａ、１４ａを対向させて連結して構成される移動支持部材１４がケーソン１の高さ方向の全長にわたって設けられ、２枚の板状材１４ａ、１４ａが固定支持部材１２、１２を挟むように配置されるとともに、各板状材１４ａが２つの固定支持部材１２、１２を跨ぐように配置され、中央部に貫通して設けた間隔調整ボルト１５およびナット１６を２枚の金属製ワッシャ１７ａおよびその間のゴム製ワッシャ１７ｂを介して水密状態で間隔を調整して連結できるようにしてある。
【００４２】
そして、この移動支持部材１４の２枚の板状材１４ａの内側には、２つの固定支持部材１２、１２のそれぞれに圧着される止水部材１８がケーソン１の高さ方向全長に渡って対向するよう取り付けてあり、合計４個の止水部材１８が用いられている。
【００４３】
この止水部材１８としては、例えば横断面形状が略三角形状のものが用いられ、底辺部分を移動支持部材１４に接着などで取り付け、頂部を固定支持部材１２、１２の表面に圧着するようにする。
【００４４】
したがって、２枚の板状材１４ａ、１４ａの間隔は、組立状態では、止水部材１８の頂部同士で固定支持部材１２、１２を圧着状態で挟むことができるように調整される。
【００４５】
また、ケーソン１、１の目地２には、これまでと同様、アスファルトマスチックなどの目地充填材１９が充填してある。
【００４６】
このような構造物の目地構造１０は、例えば図３に示すように、ケーソン１、１の凹部１１にそれぞれ固定支持部材１２、１２を取り付けた状態で端面１ａ同士を目地２の間隔をあけて対向させて設置した後、２枚の板状材１４ａ、１４ａの内側に４個の止水部材１８が取り付けられて間隔調整ボルト１５およびナット１６で連結された移動支持部材１４を吊り下ろすようにして止水部材１８の頂部の間に固定支持部材１２、１２が位置するようにする。
【００４７】
このとき、移動支持部材１４の２枚の板状材１４ａ、１４ａの間隔を広げた状態として止水部材１８の頂部が圧着状態とならないようにすれば、吊り下ろしを簡単に行なうことができ、吊り下ろし後に調整ボルト１５およびナット１６による間隔を調整して止水部材１８が所定の圧着力で圧着されるようにする。
【００４８】
なお、作業現場によって吊り下ろし後の調整ボルト１５およびナット１６の締め付け作業などが困難な場合には、間隔調整後吊り下ろすようにしても良い。
【００４９】
こうして目地構造１０の組立施工が完了した後、目地２にアスファルトマスチックなどの目地充填材１９を充填し、目地の遮水が完了する。
【００５０】
このように構成した構造物の目地構造１０およびその施工方法では、図４および図５に示すように、目地２の間隔が設置時の初期状態から狭くなったり、開いて広くなる場合でも止水部材１８が固定支持部材１２、１２に圧着された状態が保持され、目地２がずれるように変位する場合でも同様に、止水部材１８が固定支持部材１２，１２に圧着された状態が保持される。
【００５１】
これにより、地震時などの急激な動きがケーソン１、１間に生じても完全な遮水状態を維持することができ、常時不透水性地層が保たれる。
【００５２】
また、止水部材１８が損傷するようなことが生じても、移動支持部材１４ごと引き抜くようにすることで、止水部材１８も引き上げることができ、間隔調整ボルト１５およびナット１６を緩めて止水部材１８を交換後、再び挿入するようにすることで、簡単に止水部材１８を交換することができる。
【００５３】
なお、上記実施の形態では、移動支持部材１４の２枚の板状材１４ａ、１４ａの内側に止水部材１８を取り付けるようにしたが、図６に示すように、固定支持部材１２のそれぞれの両側に止水部材１８を取り付けて移動支持部材１４の板状材１４ａ，１４ａに圧着してシールするようにしても良い。この場合には、止水部材１８の抜けを防止する突起部１３を移動支持部材１４の２枚の板状材１４ａ，１４ａの両端部に設けるようにする。
【００５４】
また、上記実施の形態では、移動支持部材１４をケーソン１の高さ方向に一体構造として構成したが、図７に示すように、ケーソン１の高さ方向に分割構造とし、連結板１４ｂを当てて連結するようにしても良く、施工に際しては、分割したものを吊り下ろすように挿入しながらその上端部に連結することを繰り返すようにすれば良い。  
これにより、現場への運搬性や施工性を向上することができる。
【００５５】
また、上記実施の形態では、固定支持部材１２、１２をケーソン１の端面１ａの両側に形成した凹部１１に取り付けるようにしたが、図８に示すように、ケーソン１の側壁部にブラケット２０を突き出すように取り付け、このブラケット２０、２０間に目地２の間隔方向Ｘで対向するように固定支持部材１２、１２を取り付けるようにしても良い。
【００５６】
さらに、上記実施の形態では、止水部材１８を、横断面形状が略三角形状とした場合で説明したが、図９に示すように、横断面形状が略半円形状の止水部材１８Ａとしたり、略台形状の止水部材１８Ｂとするなど他の形状のものを用いることもできる。
【００５７】
また、この構造物の目地構造１０を海洋構造物に適用する場合には、固定支持部材１２や移動支持部材１４などの鋼材に防錆処理を施すことが耐久性向上に有効であり、たとえば重防食またはゴムライニングなどを施すようにする。
【００５８】
さらに、上記実施の形態では、ケーソンの両端部に目地構造１０を設けるようにしたが、一端部または中央部の一ヶ所だけとしたり、さらに複数箇所としても良い。
【００５９】
また、上記実施の形態では、ケーソンの目地に適用する場合で説明したが、ケーソンに限らず他の構造物の目地にも同様に適用することができる。
【図面の簡単な説明】
【００６０】
【図１】この発明の構造物の目地構造をケーソンに適用した一実施の形態にかかる部分拡大斜視図である。
【図２】この発明の構造物の目地構造をケーソンに適用した一実施の形態にかかる平面図および部分拡大平面図である。
【図３】この発明の構造物の目地の施工方法をケーソンに適用した一実施の形態にかかる概略斜視図である。
【図４】この発明の構造物の目地構造をケーソンに適用した一実施の形態にかかる初期状態と変位状態の部分拡大平面図である。
【図５】この発明の構造物の目地構造をケーソンに適用した一実施の形態にかかるそれぞれ変位状態の部分拡大平面図である。
【図６】この発明の構造物の目地構造をケーソンに適用した他の一実施の形態にかかる部分拡大平面図である。
【図７】この発明の構造物の目地の施工方法をケーソンに適用した他の一実施の形態にかかる概略斜視図である。
【図８】この発明の構造物の目地構造をケーソンに適用したさらに他の一実施の形態にかかる平面図である。
【図９】この発明の構造物の目地構造をケーソンに適用した他の一実施の形態にかかる止水部材の横断面図である。
【図１０】従来のケーソンの目地構造の概略斜視図である。
【符号の説明】
【００６１】
１            ケーソン
１ａ          端面
２            目地
１０            構造物の目地構造
１１            凹部
１２            固定支持部材
１３            突起部
１４            移動支持部材
１４ａ          板状材
１４ｂ          連結板
１５            間隔調整ボルト
１６            ナット
１７            シール材
１７ａ          金属製ワッシャ
１７ｂ          ゴム製ワッシャ
１８            止水部材
１８Ａ          止水部材
１８Ｂ          止水部材
１９            目地用充填材
２０            ブラケット
Ｘ            目地の間隔方向
【図１】
0004527041.tif 000002
【図２】
0004527041.tif 000003
【図３】
0004527041.tif 000004
【図４】
0004527041.tif 000005
【図５】
0004527041.tif 000006
【図６】
0004527041.tif 000007
【図７】
0004527041.tif 000008
【図８】
0004527041.tif 000009
【図９】
0004527041.tif 000010
【図１０】
0004527041.tif 000011